(57)【特許請求の範囲】
【請求項１】
記録媒体に電子情報と画像情報を記録する記録装置であって、
ハウジングと、
記録媒体を収納し、前記ハウジングに着脱可能なカセットを有する媒体収容部と、
前記媒体収容部から該媒体収容部に収納されている記録媒体を送り出すピックアップ部材と、
記録媒体に電子情報を記録する情報記録部と、
記録媒体に画像情報を形成する画像形成部と、
前記媒体収容部から記録媒体を前記ピックアップ部材によって送り出される方向に移送する媒体搬入経路と、
前記媒体搬入経路から送られた記録媒体を前記画像形成部に移送する媒体搬送経路と、
この媒体搬送経路に設けられ前記画像形成部でジャムした記録媒体を除去するための経路開閉部材と、
を備え、
前記媒体収容部と前記経路開閉部材と前記画像形成部とは、この順に前記媒体搬入経路の方向に沿って重なるように前記ハウジング内に配置され、
前記情報記録部は、
前記経路開閉部材に内蔵された電子情報記録手段と、
この電子情報記録手段に向けて前記媒体搬入経路から記録媒体を移送するための媒体搬送パスと、で構成され、
前記経路開閉部材は、閉状態で前記ハウジングに装着された前記カセットを支持し、開状態で前記電子情報記録手段を前記媒体搬送経路から離間させて前記媒体搬送経路にアクセス可能に構成されていること、を特徴とする情報記録装置。
【請求項２】
前記電子情報記録手段は、記録媒体に非接触状態で情報記録する非接触型記録手段であることを特徴とする請求項１に記載の情報記録装置。
【請求項３】
前記媒体搬送パスと前記媒体搬送経路との間には、前記非接触型記録手段の電波信号を遮閉する遮閉板が配置され、
この遮閉板は前記非接触型記録手段から発信された電波信号と前記媒体搬送経路中の記録媒体とを遮断することを特徴とする請求項２に記載の情報記録装置。
【請求項４】
前記媒体搬送経路には、
記録媒体の搬送方向を第１及び第２と少なくとも２方向に変更する反転ユニットが設けられ、
この反転ユニットは、
記録媒体を情報記録部に移送する第１の方向と、記録媒体を媒体搬送経路に移送する第２の方向に切換えることを特徴とする請求項１乃至３の何れかの項に記載の情報記録装置。
【請求項５】
前記反転ユニットは、
装置フレームに旋回動可能に軸支された回転フレームと、
この回転フレームに配置され記録媒体を保持する少なくとも一対のローラ対と、
回転フレームを旋回動するユニット駆動手段と、
前記ロール対を正逆回転するロール駆動手段と、
を有し、
前記一対のローラ対の正逆転で記録媒体を媒体搬送パスに搬入及び搬出することを特徴とする請求項４に記載の情報記録装置。
【請求項６】
前記媒体搬送経路には、画像形成部の下流側にデカール機構が配置され、
このデカール機構は、
画像形成された記録媒体のカールを修正する押圧部と、
この押圧部を保持するユニットフレームと、で構成され、
前記経路開閉部材は、開状態で前記デカール機構にハウジング外部からアクセス可能に構成されている、ことを特徴とする請求項１乃至５の何れかに記載の情報記録装置。
【請求項７】
前記デカール機構のユニットフレームは、経路開閉部材が開状態のとき前記押圧部を前記媒体搬送経路内から経路外に移動可能に装置フレームに回動可能に軸支持されていることを特徴とする請求項６に記載の情報記録装置。
【発明の詳細な説明】
【技術分野】
【０００１】
本発明は、プラスチックカード、厚紙カードなどの記録媒体に電子情報と画像情報を記録する情報記録装置に係わり、装置内にジャムしたカードを除去するジャム処理機構の改良に関する。
【背景技術】
【０００２】
一般に、この種の情報記録装置は、各種証明書用カード、決済用カードなどに使用されるカード類に情報記録する装置として広く知られている。例えば、カードに磁気情報、ＩＣ情報などの電子情報を記録し、これと同時にカードの表裏面に顔写真、氏名、名称などの画像データを形成する装置として、カード発行システムの端末装置に使用されている。
【０００３】
例えば特許文献１には、ハウジング内にカードカセットと、インクリボンカセットと転写フィルムカセットを交換できるように着脱自在に装着する。このカセットの着脱作業はオペレーターが簡単に作業できるように操作性が要求される。
【０００４】
これと共に電子情報記録部或いは画像形成部でカードの搬送異常が発生したときにも、その処理が簡単に行えることが要求される。
【０００５】
例えば特許文献１の装置は、装置のフロント部に開閉扉を設け、この開閉扉からカードカセットとリボンカセットとフィルムカセットを着脱するレイアウト構成が開示されている。同文献には開示されていないが、カードの搬送異常が発生したときにも装置フロント側の開閉扉を開けて経路中のジャムカードを取り出すことが一般的である。
【０００６】
一方、一般的な画像形成装置において、装置内部に媒体の搬送不良が発生したときには、装置ハウジングに開閉扉を設け、この扉を開けて媒体搬送部に装置外部からアクセス出来るようにするジャム開閉機構は広く知られている。
【０００７】
またこの場合に、搬送通路を開放するよう搬送機構を構成するユニットを作動姿勢から退避姿勢に姿勢変更することも知られている。
【先行技術文献】
【特許文献】
【０００８】
【特許文献１】特開２００７−２３７７４４号公報
【発明の概要】
【発明が解決しようとする課題】
【０００９】
上述のように装置内部のカード搬送経路でジャムが発生したとき、その処理のために装置ハウジング開閉扉を設けることは良く知られている。ところが特許文献１の装置はカードカセットと、リボンカセットと、転写フィルムカセットを装置ハウジングの開閉カバー（例えばフロントカバー）から着脱し、同時にこの開閉カバーを開いて搬送経路からジャムカードを取り出すようにしている。
【００１０】
従って、経路中にジャムしたカードは装置内の限られた開閉スペースで取り出さなければならない。このため、ジャムカードの取り出し作業が繁雑で例えばセンサーなどの経路に配置されている部品を破損することがあった。
【００１１】
そこで本発明者は、カードカセットの収納部と画像形成部の媒体搬送経路を装置ハウジング内に上下に配置し、この収納部と媒体搬送経路の間の隔壁をジャムしたカードを除去するための経路開閉部材として開閉可能に構成することにより、カードカセットを取り外してジャムカードを除去する作業スペースを大きくすることが出来るとの着想に至った。
【００１２】
本発明は、カードなどの記録媒体が搬送経路中で滞留したとき、そのジャム処理作業を簡単な操作で容易に行える情報記録装置の提供をその課題としている。
【００１３】
更に本発明は、カードなどの記録媒体に電子情報と画像情報を記録する装置を、小型でコンパクトに構成すると共に、ジャム処理作業が容易である情報記録装置の提供をその課題としている。
【課題を解決するための手段】
【００１４】
上記課題を達成するため本発明は、ハウジングにカード収納部と、画像形成部にカードを移送する媒体搬送経路を上下に配置し、その間に画像形成部でジャムしたカードを除去するための経路開閉部材を設ける。
【００１５】
そして、この経路開閉部材に電子情報記録手段を内蔵し、媒体収容部から媒体搬送経路にカードを供給する媒体搬入経路に、電子情報記録手段に向けてカードを移送する媒体搬送パスを設け、この経路開閉部材は、閉状態で前記ハウジングに装着された前記カセットを支持し、開状態で前記電子情報記録手段を前記媒体搬送経路から離間させて前記媒体搬送経路にアクセス可能に構成されていることを特徴としている。
【００１６】
これによって、カード収納部を開放することで、画像形成部と情報記録部に滞留したカードを容易に装置外に取り出すことが出来る。
【００１７】
更に、その構成を詳述すると、ハウジングと、記録媒体を収納する媒体収容部と、記録媒体に電子情報を記録する情報記録部と、記録媒体に画像情報を形成する画像形成部と、媒体収容部から記録媒体を情報記録部に向けて搬入する媒体搬入経路と、媒体搬入経路から送られてきた記録媒体を画像形成部に移送する媒体搬送経路と、この媒体搬送経路に設けられ画像形成部でジャムした記録媒体を除去するための経路開閉部材とを備える。
【００１８】
上記媒体収容部と経路開閉部材と画像形成部とは、この順にハウジングに配置し、情報記録部は、経路開閉部材に内蔵された電子情報記録手段と、この電子情報記録手段に向けて媒体搬入経路から記録媒体を移送する媒体搬送パスとで構成する。
【００１９】
上記電子情報記録手段は、記録媒体に非接触状態で情報記録する非接触型記録手段で構成する。この非接触型記録手段は、例えば、記録媒体にＩＣチップを内蔵したチップに電子情報を電波信号として発信し、これをＩＣチップで受信するように構成する。
【００２０】
上記媒体搬送パスと媒体搬送経路との間には、非接触型記録手段の電波信号を遮閉する遮閉板が配置され、この遮閉板は非接触型記録手段から発信された電波信号と媒体搬送経路中の記録媒体とを遮断するシールド材（電波吸収体）で構成する。このシールド材としては、特定帯域の電波を吸収して遮断する材料を選択する。
【００２１】
上記媒体収容部は、記録媒体を収納したカセットを装着可能なカセット装着エリアで構成し、このカセット装着エリアの隔壁（底面壁）を開閉可能にして経路開閉部材を構成する。この経路開閉部材は、閉止状態でカセット装着エリアの底面壁を構成し、開放状態でカセット装着エリアから媒体搬送経路にアクセス可能に構成する。
【００２２】
上記媒体搬送経路には記録媒体の搬送方向を第１及び第２と少なくとも２方向に変更する反転ユニットを設け、この反転ユニットは、記録媒体を情報記録部に移送する第１の方向と、記録媒体を媒体搬送経路に移送する第２の方向に切換えるように構成する。
【００２３】
上記反転ユニットは、装置フレームに旋回動可能に軸支された回転フレームと、この回転フレームに配置され記録媒体を保持する少なくとも一対のローラ対と、回転フレームを旋回動するユニット駆動手段と、ロール対を正逆回転するロール駆動手段と、を有し、一対のローラ対の正逆転で記録媒体を媒体搬送パスに搬入及び搬出する。
【００２４】
上記媒体搬送経路には、画像形成部の下流側にデカール機構を配置し、このデカール機構は、画像形成された記録媒体のカールを修正する押圧部と、この押圧部を保持するユニットフレームで構成する。そして、経路開閉部材を開止状態でデカール機構にハウジング外部からアクセス可能に構成する。
【００２５】
上記デカール機構のユニットフレームは、経路開閉部材が開止状態のとき押圧部を媒体搬送経路内から経路外に移動可能に装置フレームに回動可能に軸支持する。
【発明の効果】
【００２６】
本発明は、媒体収容部Ｃと媒体搬送経路を上下に配置してその間にジャムカードを除去する経路開閉部材を設け、この経路開閉部材に電子情報記録手段を内蔵し、その記録手段にカードを移送する媒体搬送パスを設けたものであるから、以下の効果を奏する。
【００２７】
媒体収容部を例えばカードカセットを取り外して開放し、経路開閉部材を開放することによって媒体搬送経路と、非接触型記録手段にカードを移送する媒体搬送パスにカード収容空間からアクセスすることが出来る。従って、画像形成部でジャムしたカード或いは情報記録部でジャムしたカードを簡単に取り除くことが出来る。
【００２８】
更に、媒体収容部としてのカードカセットを着脱する構成を採用することによって、この媒体収容部を簡単に開放することが出来る。
【００２９】
また、画像形成部の下流側にカール矯正するデカール機構を配置する構成の場合に、このデカール機構でジャムしたカードも画像形成部と同様に容易に取り出すことが出来る。
【００３０】
このように本発明は、装置ハウジングにジャム処理のための特別な開閉扉を設けることなく、カード収納空間から装置内部にアクセス出来るようにしてあるので、ハウジングのフレーム構造も柔構造など簡素化することが出来る。
【図面の簡単な説明】
【００３１】
【図１】本発明に係わる情報記録装置の一実施形態を示す説明図。
【図２】カードカセット３を取り外した状態を示す図。
【図３】経路開閉部材の蓋体を取り外した状態を示す図。
【図４】経路開閉部材を開放した状態を示す図。
【図５】媒体搬送経路に位置している遮閉板とデカール機構を示す図。
【図６】遮閉板とデカール機構のユニットフレームをそれぞれ開放した状態を示す図。
【発明を実施するための形態】
【００３２】
以下、図示の好適な実施の形態に基づいて本発明を詳述する。図１は本発明に係わる情報記録装置１の全体構成の説明図である。図１の装置は各種証明用のＩＤカード、商取引用のクレジットカードなどのカード（記録媒体；以下同様）に情報を記録する。このためハウジング２には、情報記録部Ａと画像形成部Ｂと媒体収容部Ｃとが備えられる。情報記録部Ａは、磁気記録部２４と、非接触式ＩＣ記録部２３と、接触式ＩＣ記録部２７とで構成される。この情報記録部Ａは装置仕様に応じて種々の記録部、例えばバーコード記録部などで構成する。
【００３３】
上記媒体収容部Ｃは、複数枚のカードを収納するカセットで構成する。このカセットは例えば装置ハウジング２にホッパ状のカセットを設けるか、装置ハウジング２から分離したカードカセット３で構成する。
【００３４】
図２はカードカセット３を装置ハウジング２のカセット装着エリア１００から取り外した状態を示している。例えば、本実施形態ではカードカセット３を不図示の取手で引き上げることにより上方向（後述するカード供給方向と略同一方向）に着脱可能に構成することで、供給部でカードジャムを起こしたときにカードカセット３を取り外してジャム解除が可能になる。
【００３５】
なお、本実施形態ではカード供給方向は傾斜しているが、カードカセット３の着脱方向は斜めである必要はなく、装置ハウジング２に対して上方向に引き上げられる構成であればよい。
【００３６】
［カード供給部］
装置ハウジング２のカセット装着エリア１００には媒体収容部Ｃが設けられ、複数枚のカードを収納するカードカセット３で構成されている。図１に示すカードカセット３は複数のカードを立位姿勢で整列して収納し、同図左端から右端にカードを繰り出す。そしてカードカセット３の先端には分離開口７が設けられ、ピックアップローラ１９で最前列のカードから装置内に供給する。
【００３７】
［情報記録部の構成］
上述のカードカセット３から送られたカードは搬入ローラ２２にて反転ユニットＦに送られる。反転ユニットＦは装置フレーム６０に旋回動可能に軸受け支持された回転フレーム８０と、このフレームに支持された一対、或いは複数のローラ対で構成される。
【００３８】
図示のものは距離を隔てて前後に配置された２つのローラ対２０、２１を回転フレーム８０に回転自在に軸支持されている。そして、回転フレーム８０は旋回モータ（パルスモータなど）で所定角度方向に旋回動し、これに取付けられているローラ対は搬送モータで正逆転方向に回転するように構成されている。この駆動機構は図示しないが、１つのパルスモータで回転フレーム８０の旋回動と、ローラ対２０、２１の回転をクラッチで切り換えるように構成しても、回転フレーム８０の旋回動とローラ対２０、２１の回転を別駆動に構成してもよい。
【００３９】
従ってカードカセット３に準備されたカードはピックアップローラ１９と分離ローラ（アイドルコロ）９で１枚ずつ分離され下流側の反転ユニットＦに送られる。そして反転ユニットＦはカードをローラ対２０、２１でユニット内に搬入し、ローラ対でニップした状態で所定角度方向に姿勢偏向することとなる。
【００４０】
上記反転ユニットＦの旋回方向外周には、磁気記録部２４と、非接触式ＩＣ記録部２３及び接触式ＩＣ記録部２７と、リジェクトスタッカ２５が配置されている。そして、ローラ対２０、２１は、これらの情報記録部２３、２４，２７の何れかに向けて搬入する媒体搬入経路６５を形成する。尚、図示２８はバーコードリーダであり、例えば後述する画像形成部Ｂで印刷したバーコードを読み取って正誤判別（エラー判別）するためのユニットである。
【００４１】
反転ユニットＦで所定の角度方向に姿勢偏向されたカードをローラ対２０、２１にて形成される媒体搬入経路６５を通して、磁気記録部２４或いは非接触式ＩＣ記録部２３または接触式ＩＣ記録部２７に移送すると、カードには磁気的若しくは電気的にデータ入力することが可能となる。またこれらの情報記録部で記録ミスが生じた場合にはリジェクトスタッカ２５に搬出する。
【００４２】
図１においては、反転ユニットＦは非接触式ＩＣ記録部２３に向けて旋回しており、カードはローラ対２０、２１により記録部２３に向けて媒体搬入経路６５を形成している。非接触式ＩＣ記録部２３は、ＩＣリーダライタ基板６７と、ＩＣリーダライタアンテナ６９と、媒体搬送パス６８とから構成されており、ＩＣリーダライタアンテナ６９は、媒体搬入経路６５を通して、媒体搬送パス６８に導入されたカードに埋設されているＩＣチップに、ＩＣリーダライタ基板６７から送られてくる情報を電波信号で送信する。これにより、ＩＣチップには記録情報が記録されることになる。
【００４３】
媒体搬送パス６８と媒体搬送経路Ｐ１との間には、ＩＣリーダライタアンテナ６７からの電波信号を遮閉する遮閉板７０を配置することで、媒体搬送経路Ｐ１にて搬送途中にある他のカードへの誤って記録されるのを防止している。遮閉板７０は、シールド材（電波吸収体）で構成するもので、このシールド材としては、特定帯域の電波を吸収して遮断する材料を選択する。
【００４４】
上記反転ユニットＦの下流側には画像形成部Ｂが設けられ、この画像形成部Ｂにカードを移送する媒体搬送経路Ｐ１が設けられ、この経路Ｐ１に前述の反転ユニットＦが配置されている。また、媒体搬送経路Ｐ１にはカードを搬送する搬送ローラ（ベルトでも良い）２９、３０が配置され、図示しない搬送モータに連結されている。この搬送ローラ２９、３０は正逆転切り換え可能に構成され、反転ユニットＦから画像形成部Ｂにカードを搬送するのと同様に画像形成部Ｂからカードを反転ユニットＦに搬送するようになっている。
【００４５】
上記画像形成部Ｂの下流側には収容スタッカ６０にカードを移送する媒体搬送経路Ｐ２が設けられている。媒体搬送経路Ｐ２にはカードを搬送する搬送ローラ（ベルトでも良い）３７、３８が配置され、図示しない搬送モータに連結されている。
【００４６】
搬送ローラ３７と搬送ローラ３８の間にはデカール機構３６が配置され、搬送ローラ３７、３８間に保持されたカード中央部を押圧することによって、熱転写により生じたカールを矯正する。このためデカール機構３６は図示しない昇降機構（カムなど）で図１に示す上下方向に位置移動可能に構成されている。
【００４７】
搬送ローラ３７はニップコロ７１と、搬送ローラ３８はニップコロ７２とで、それぞれデカールされるカードをニップしているが、押圧部７４が昇降機構によって押し下げられると、受部７３は押圧部７４を受け止めながらニップコロ７１、７２と共に下方に移動する。これにより、搬送ローラ３７とニップコロ７１、及び搬送ローラ３８とニップコロ７２によるカードのニップが解除されるために、整ったカール矯正を行うことが出来る。
【００４８】
「画像形成部」
画像形成部Ｂは、記録カードの表裏面に顔写真、文字データなど画像を形成する。図示の装置は昇華型インクリボンで画像形成する場合を示している。
【００４９】
画像形成部Ｂにはサーマルヘッド４０とインクリボン４１が配置されている。インクリボン４１はカートリッジ４２に収納され、このカートリッジ４２に操出ロール４３と巻取ロール４４が収容され、巻取ロール４４には図示しないワインドモータＭｒ１が連結されている。
【００５０】
そしてプラテンローラ４５に対向する位置にサーマルヘッド４０が配置されている。このサーマルヘッド４０は、ヘッドコントロール用ＩＣ（図示せず）により熱制御される。そして、このヘッドコントロール用ＩＣは、画像データに従ってサーマルヘッド４０を加熱制御することにより、インクリボン４１を後述する転写フィルム４６に画像形成する。このためサーマルヘッド４０の熱制御と同期して巻取ロール４４が回転し、インクリボン４１を所定速度で巻き取るように構成されている。図示３９はサーマルヘッド４０を冷やす為の冷却ファンである。
【００５１】
上記転写フィルム４６は巻取ロール４７と操出ロール４８に巻回され、この転写フィルム４６はプラテンローラ３１とヒートローラ３３に転写画像を移送するように巻装されている。図示４９は転写フィルム４６の移送ローラであり、その周面にピンチローラ３２ａと３２ｂが配置され、この移送ローラ４９には図示しない駆動モータに連結されている。そして転写フィルム４６は、インクリボン４１と同一速度で図１反時計方向に移動する。
【００５２】
また、ヒートローラ３３には、搬入経路Ｐ１に配置されているプラテンローラ３１に転写フィルム４６を介して圧接離間するように昇降機構（不図示）が設けられている。図４に示すダイアル９５は、この昇降機構に連動しており、このダイアル９５を回すことにより、ヒートローラ３３を手動にて昇降させることができる。
【００５３】
このヒートローラ３３は加熱ローラで構成され、内部に配置されている加熱手段で転写フィルム４６上の画像を記録カード表面に転写する。尚、図示Ｓｅ１はインクリボン４１の位置検出センサであり、図示Ｓｅ２は転写フィルム４６の有無検出センサである。尚、画像形成部Ｂには装置内に発生した熱を外に出す為のファン３９が設けられている。
【００５４】
「収容部」
収容部Ｄは図１に示すように画像形成部Ｂから送られたカードを収容スタッカ６０に収容するように構成されている。この収容スタッカ６０は図示しない昇降機構６１とレベルセンサで、最上カードを検出し、昇降機構６１で図１下側に下降移動するように構成されている。
【００５５】
上記した本発明に係わる情報記録装置１の全体構成の中で、画像形成部Ｂにカードカセット３からカードを移送する媒体搬送経路Ｐ１、Ｐ２にジャムしたカードを除去するための構成について説明する。
【００５６】
カードカセット３を装置ハウジング２のカセット装着エリア１００から取り外すと、カードカセット３の下方に位置している経路開閉部材６６が現れる。経路開閉部材６６の上面カバー９０は蓋体であり、カセット装着エリア１００の隔壁（底面壁）を構成している。そして、経路開閉部材６６は、開閉自在に装置ハウジング２に取り付けられており、本実施形態では長手方向の端部が回動自在に装置ハウジング２に支持されている。
【００５７】
また、経路開閉部材６６は、上面カバー９０を取り外すと、図３で示すように、非接触式ＩＣ記録部２３のＩＣリーダライタ基板８５とＩＣリーダライタアンテナ６９を内蔵しているのが見える。図４に示すように、経路開閉部材６６を開放すると、ＩＣリーダライタ基板８５とＩＣリーダライタアンテナ６９とが退出するために、媒体搬送パス６８と遮閉板７０と媒体搬送経路Ｐ１、Ｐ２の一部が露出されて、このときの露出部分にジャムしたカードを除去することが出来る。図５は、媒体搬送経路Ｐ１、Ｐ２に位置している遮閉板７０及びデカール機構３６を示している。
【００５８】
図６において、遮閉板７０は一端に具備した軸９２は回動自在に装置フレーム６０に支持されており、軸９２を支点に遮閉板７０を開放することで、ローラ２９とローラ３０にて形成される媒体搬送経路Ｐ１が完全に露出して外部からアクセスでき、ジャムしたカードを除去することが出来る。
【００５９】
デカール機構３６は、押圧部７４とこの押圧部７４を上下に移動させる昇降機構が一体となりユニットフレーム８６を構成している。そして、このユニットフレーム８６は一端に具備した軸９３は、装置フレーム６０に回動自在に支持されている。従って、ユニットフレーム８６を開放した状態では、ローラ３７とローラ３８にて形成される媒体搬送経路Ｐ２が完全に露出して外部からアクセスでき、同様にジャムしたカードを除去することが出来る。
【００６０】
カードがヒートローラ３３とプラテンローラ３１に挟持した状態でエラーが発生した場合は、挟持を解除してジャムしたカードを除去する必要がある。プラテンローラ３１との挟持を解除するには、ヒートローラ３３の昇降機構（図示せず）に連動しているダイアル９５（図４）を回して、ヒートローラ３３を下降させることでカードの除去が可能となる。
【００６１】
このように本実施形態では、経路開閉部材６６に非接触式ＩＣ記録部２３のＩＣリーダライタ基板６７とＩＣリーダライタアンテナ６９を内蔵することで、経路開閉部材６６を開放することにより記録部２３の媒体搬送パス６８にジャムしたカードを除去することが出来るようにしているが、非接触式の記録方式であれば他の電子情報記録手段でも同様な構成が可能である。
【産業上の利用可能性】
【００６２】
本発明は、プラスチックカード、厚紙カードなどの記録媒体に電子情報と画像情報を記録する情報記録装置に係わり、装置内にジャムしたカードを除去するジャム処理機構の改良に関するものであり、産業上の利用可能性を有する。
【符号の説明】
【００６３】
２          ハウジング
３          カードカセット
２０、２１  ローラ対
２３        非接触式ＩＣ記録部（電子情報記録手段）
３６        デカール機構
６５        媒体搬入経路
６６        経路開閉部材
６７        媒体搬送パス
７０        遮閉板
７４        押圧部
８０        回転フレーム
８６        ユニットフレーム
１００      カセット装着エリア
Ａ          情報記録部
Ｂ          画像形成部
Ｃ          媒体収容部
Ｆ          反転ユニット
Ｐ１、Ｐ２  媒体搬送経路
【図１】
0005826484.tif 000002
【図２】
0005826484.tif 000003
【図３】
0005826484.tif 000004
【図４】
0005826484.tif 000005
【図５】
0005826484.tif 000006
【図６】
0005826484.tif 000007